(57)【要約】【課題】  給電線の繰り返し屈曲による悪影響を排除し、小型化を図りコストダウンにつなげ、ドア内部に設けられる他の機器のレイアウト設計に悪影響を及ぼさないようにする。【解決手段】  スライドドアに取り付けた給電線プロテクタ１内に電源に接続されスライドドア内部の機器へ給電する給電線３を屈曲させて収容し、このプロテクタ１の長方形状のケース２内に給電線３の屈曲を規制する給電線通路５を備えケース２内の長手方向に沿ってスライドするスライダー４を設け、このスライダー４をケース２の一端側に常時引張する引張バネ９に接続し、スライダー４のスライド範囲のケース２の下面側にスリット状の開口１２を設け、電源側の給電線３をケース２の開口から引き出して車体側で固定し、ケース２の他端側からケース２の外に引き出された給電線３をスライドドア内部の機器に接続した。【選択図】  図１
2006273120.tif 000002
【特許請求の範囲】
【請求項１】
スライドドアに取り付けた給電線プロテクタ内に電源に接続されスライドドア内部の機器へ給電する給電線を屈曲させて収容し、
このプロテクタの長方形状のケース内に給電線の屈曲を規制する給電線通路を備えケース内長手方向に沿ってスライドするスライダーを設け、
このスライダーをケース一端側に常時引張する引張バネに接続し、
前記スライダーのスライド範囲のケース下面側にスリット状の開口を設け、
前記電源側の給電線をケースの開口から引き出して車体側で固定し、
前記ケースの他端側からケース外に引き出された給電線をスライドドア内部の機器に接続したことを特徴とするスライドドア用常時給電装置。
【請求項２】
前記スライダーを、給電線通路側からその上部にかけて給電線が丸みをもって屈曲して配設される先端部材と、この先端部材と連結部材でつながれ前記引張バネが接続される基端部材とから構成したことを特徴とする請求項１に記載のスライドドア用常時給電装置。
【請求項３】
前記ケース内の給電線は外装部材内に挿通されていることを特徴とする請求項１又は２に記載のスライドドア用常時給電装置。
【請求項４】
前記引張バネは、Ｕ字状に屈曲されたコイルスプリングから成ることを特徴とする請求項１ないし３のいずれか１項に記載のスライドドア用常時給電装置。
【請求項５】
前記給電線プロテクタをドア内部に設ける機器を組み付けるモジュールプレートと一体化したことを特徴とする請求項１ないし４のいずれか１項に記載のスライドドア用常時給電装置。
【発明の詳細な説明】
【技術分野】
【０００１】
本発明は、ワンボックスカー等の自動車のスライドドアと車両ボディとを給電線で接続してスライドドア側に常時給電を行わせるスライドドア用常時給電装置に関する。
【背景技術】
【０００２】
従来、ワンボックスカー等の自動車のスライドドアにおいては、車体側からスライドドア側の電装品等の機器に電源電流や信号電流を供給するために、給電線を車体からスライドドアに配索し、スライドドア内に設けた合成樹脂製のプロテクタの内部に湾曲した状態に収容して、スライドドアの開閉に伴う給電線の伸縮に対応させたものが知られている。例えば、プロテクタのスリット状の開口に沿って縦断面湾曲状ないし傾斜状の鍔状ガイド部が形成され、該鍔状ガイド部の端部に、漸次高さ方向に湾曲ないし傾斜した給電線誘導部が形成され、給電線誘導部に隣接して該開口に続く給電線導出用の口部が形成されたものが知られている（特許文献１参照）。この装置によれば、プロテクタがスライドドアに取り付けられ、プロテクタのスリット状の開口から給電線が車体側に配索された際に、スライドドアの開閉時に給電線が鍔状ガイド部に沿って揺動し、スリット状の開口の端部で給電線誘導部に沿ってスムースに上昇する。これにより、スリット状の開口よりも車体側の給電線固定部が高い位置にある場合に、スライドドアの例えば全閉時に給電線誘導用の口部が給電線固定部と同程度の高さに位置し、給電線が高さ方向に小さな径でＵターン状に屈曲することがなくなり、給電線に無理な曲げ力が作用しなくなる。また、スライドドアを全閉から開く際に、給電線誘導部で拾われて引っ掛かりなくスムースに鍔状ガイド部に案内されるとともに、鍔状ガイド部はスリット状の開口から導出される給電線を湾曲ないし傾斜させて高さ方向にスムースに屈曲させる。スライドドアは全開時に車両ボディから外側に大きく離間するから、鍔状ガイド部に沿う給電線の湾曲半径は大きくなり、給電線に無理な曲げ力が作用しない。
【特許文献１】特開２００３−３３５１８８号公報（第４頁、図１）
【発明の開示】
【発明が解決しようとする課題】
【０００３】
従来のプロテクタは、給電線を小さな径でＵターン状に繰り返し屈曲させないために、かたつむり状に比較的大きく形成されていた。このかたつむり状の大きなプロテクタを使用すると、コスト面で不利であるばかりか、スライドドア内部に大きなプロテクタを組み込むため、他の機器の設置場所を制限することとなり、ドア内部のレイアウト設計に悪い影響を及ぼすおそれがあった。
【０００４】
そこで、本発明は、プロテクタの小型化を図り、屈曲の繰り返しによる給電線への悪影響をなくし、ドア内部の機器のレイアウトも容易にすることを目的とする。
【課題を解決するための手段】
【０００５】
上述の目的を達成するため、本発明は、スライドドアに取り付けた給電線プロテクタ内に電源に接続されスライドドア内部の機器へ給電する給電線を屈曲させて収容し、このプロテクタの長方形状のケース内に給電線の屈曲を規制する給電線通路を備えケース内長手方向に沿ってスライドするスライダーを設け、このスライダーをケース一端側に常時引張する引張バネに接続し、前記スライダーのスライド範囲のケース下面側にスリット状の開口を設け、前記電源側の給電線をケースの開口から引き出して車体側で固定し、前記ケースの他端側からケース外に引き出された給電線をスライドドア内部の機器に接続したものである。
【発明の効果】
【０００６】
本発明によれば、スライドドアに取り付けた給電線プロテクタ内に電源に接続されスライドドア内部の機器へ給電する給電線を屈曲させて収容し、このプロテクタの長方形状のケース内に給電線の屈曲を規制する給電線通路を備えケース内長手方向に沿ってスライドするスライダーを設け、このスライダーをケース一端側に常時引張する引張バネに接続し、前記スライダーのスライド範囲のケース下面側にスリット状の開口を設け、前記電源側の給電線をケースの開口から引き出して車体側で固定し、前記ケースの他端側からケース外に引き出された給電線をスライドドア内部の機器に接続したものであるから、給電線はドアの開閉に伴ってスライダーとともにケースの開口長手方向に沿って移動し、スライダーの給電線通路に一定の屈曲状態で存在する給電線は繰り返し屈曲を受けることがないので、屈曲を繰り返すことによる悪影響を受けることもなく、かつプロテクタは小型化され、コスト面で有利となり、ドア内部の他の機器のレイアウト設計を困難にすることもない。
【０００７】
また、スライダーを先端部材、連結部材、基端部材から構成することで、先端部材の形状に沿って給電線が丸みをもって屈曲された状態となり、屈曲による悪影響を受けない。さらに、合成樹脂製のコルゲートチューブなどの外装部材をケース内に設け、この外装部材内へ給電線を挿通することにより、給電線がスライダーによりケース内を移動させられるときにスライダーから受ける力により悪影響を受けることがない。さらにまた、ドアが開いた状態から閉めるときにスライダーを元の位置に戻すとともに、給電線も元の位置に戻す引張バネを、Ｕ字状に屈曲されたコイルスプリングとしたものにあっては、コイルスプリング両端を基端部材に連結することで、スライダーを引っ張る力を偏らせずにスムースに元の位置に復帰させることができる。
【０００８】
なお、現在のスライドドアに組み込む機器は、単品毎に組み込まず、組付作業の効率を向上させるため、かつ部品の統合によるコストダウンを図るため、さらに総重量を低減させるためにモジュール化されつつある。ドア内のパワーウインドーやオートロック用アクチュエータ、レギュレータなどの部品（機器）を予め合成樹脂製のモジュールプレートに組み付けたものを、ドアのインナーパネルにあけた穴に一括で組み付ける構造が採用されている。このようなモジュールプレートとプロテクタとを合成樹脂材料で予め一体成形しておくことにより、ドア内部への組付作業がより一層効率化される。
【発明を実施するための最良の形態】
【０００９】
以下に、本発明の実施形態を図面に基づいて説明する。
【００１０】
図１に示す給電線プロテクタ１は、長方形状のケース２の内部に、電源に接続されスライドドア内部の機器へ給電する給電線３を屈曲させて収容してある。また、このケース２内に給電線３の屈曲を規制する給電線通路５を備え、ケース２内の長手方向に沿ってスライドするスライダー４を設けてある。このスライダー４は、給電線通路５側からその上部にかけて給電線３が丸みをもって屈曲して配設される先端部材６と、この先端部材６と連結部材７でつながれた基端部材８とから構成してある。前記連結部材７は薄い板状の部材であり、この連結部材７がケース２内でのスライダー４のスライドを可能にしている。すなわちこの連結部材７がその上下端をケース２内の図示しないレール（窪み）に嵌まり込み、このレールに沿ってスライド可能になっている。また、スライダー４をケース２の一端側に常時引張する引張バネ９に接続してある。この引張バネ９はＵ字型の保護ケース１０内に挿入され、引張バネ９を構成するコイルスプリング自体がＵ字状に屈曲されている。このコイルスプリングすなわち引張バネ９の両端がスライダー４の基端部材８に接続固定してあり、図面上スライダー４を常時左方向に引っ張っている。また、給電線３は、ケース２内において外装部材１１内に挿通され、保護されている。この外装部材１１としては、合成樹脂製のコルゲートチューブなどが好適に使用可能である。給電線３の一端側、すなわち給電線通路５から後述する開口１２を経て外部に引き出した個所３Ａは、車体に固定され、電源に接続されるようになっている。またケース２の他端の開口２Ａから外部に引き出された個所３Ｂは、スライドドア内部の機器へ接続されるようになっている。また、スライダー４のスライド範囲のケース２の下面側には、スリット状の開口１２を設けてある。この開口１２内を給電線通路５の個所における給電線３が移動する。
【００１１】
図２は図１の片面にカバー１３を取り付けた状態を示す。カバー１３でケース２の片面を覆った状態において、他端側の開口２Ａからはスライドドア内部の機器に接続される給電線３が引き出され、給電線通路５を経て開口１２から引き出された給電線３は図示しない車体に固定されて電源へ接続される。
【００１２】
図３はスライドドア２０の開閉に伴う本発明装置の作用を説明する図であり、車体２１側に取り付く給電線３は固定部２２の個所で車体２１、すなわちこの場合ステップ部に固定され、その先にコネクタ２３を設けてある。このコネクタ２３が電源から延びてきたハーネスに接続する。この図３の右側の位置がスライドドア２０が閉じた状態であり、スライドドア２０を図面上点線で示す矢印のように左方向へスライドさせて開けていくと、ドア２０のスライドに伴ってスライダー４が引張バネ９の引張力に抗して右手方向へと引っ張られる。このスライダー４のスライドは、給電線３が固定部２２により車体２１に固定されていることにより生ずる。スライドドア２０が図３の左側の位置まで来たとき、全開状態となり、車体２１の固定部２２から給電線プロテクタ１まで延びる給電線３の長さは長くなる。
【００１３】
図４はスライドドア２０が閉まった状態における給電線プロテクタ１の内部構造を簡略化して示す。また、図５は図３の左側の位置すなわちスライドドア２０が全開した状態の給電線プロテクタ１の内部構造を簡略化して示す図である。全開状態においてケース２内の給電線３は開口１２から長く外部へ引き出されることとなる。全閉状態において、給電線３の大半はケース２内に収容される。図６は、スライドドア２０が閉じた状態から開けた状態にスライドするときの全体概念を説明するものである。
【００１４】
図４及び図５に示すように、給電線３の一端側の個所３Ａが固定部２２により車体２１に固定されていることにより、スライダー４の先端部材６に巻きつくように位置させられた給電線３がスライドドア２０と同時にスライドするケース２（給電線プロテクタ１）のスライドによりスライダー４を移動させる。この給電線３は、フラットな形状のものよりも、断面円形のワイヤハーネスの使用が強度面からも望ましく、外装部材１１も丸型が好ましい。
【００１５】
図７及び図８は、モジュールプレート３０とケース２とを合成樹脂材料で一体成形し、カバー１３を片面に取り付ける場合を示す。近年、カーメーカーでの組み付け性向上、部品の統合によるコストダウン、重量低減を目標として、ドアモジュールが採用されつつあり、ドア内のパワーウインドーやオートロック用のアクチュエータ、レギュレータなどの部品を予め樹脂製のモジュールプレート３０に組み付けたものを、ドアのインナーパネルにあいた穴の部分に一括で組み付ける構造となっている。このようなドアモジュールを採用した車両に本発明による装置を適用する場合、射出成型により形成されるモジュールプレート３０とケース２とを一体化し、常時給電線プロテクタ１をドアモジュールと一体化した構造とする。
【図面の簡単な説明】
【００１６】
【図１】本発明の実施形態の要部を示す斜視図。
【図２】図１にカバーを取り付けた状態の斜視図。
【図３】スライドドアの開閉時における給電線プロテクタの作用を説明する簡略図。
【図４】スライドドアが閉じた状態における給電線プロテクタ内部を示す簡略図。
【図５】スライドドアを開けた状態の給電線プロテクタの内部を示す簡略図。
【図６】スライドドアのスライドと給電線プロテクタの関係を示す概略図。
【図７】モジュールプレートと一体成型した斜視図。
【図８】図７のケースにカバーを取り付けた状態の斜視図。
【符号の説明】
【００１７】
１    給電線プロテクタ
２    ケース
２Ａ  開口
３    給電線
４    スライダー
５    給電線通路
９    引張バネ
１２  スリット状の開口
【図１】
2006273120.tif 000003
【図２】
2006273120.tif 000004
【図３】
2006273120.tif 000005
【図４】
2006273120.tif 000006
【図５】
2006273120.tif 000007
【図６】
2006273120.tif 000008
【図７】
2006273120.tif 000009
【図８】
2006273120.tif 000010